(57)【要約】【課題】  特に、月めくりカレンダーに設けてあるメモ欄を有効に活用し易いように、月めくりカレンダーに常時筆記具を備えて置ける筆入付クリップを提供する。【解決手段】  紙挟みなどに用いるクリップに於いて、例えば、前の方の板を円板状に設け、その裏側に略管状の筆入部を設けた筆入付クリップを設ける、そのクリップを月めくりカレンダーの下端に取付け筆入部に筆記具を差し入れて保持する、又、前方の円板状の表面には干支の絵などをほどこして用いる。【選択図】  図１
2006175843.tif 000002
【特許請求の範囲】
【請求項１】
前方板と後方板を連結する支点の上方、又は、下方の内側に略管状の筆入部を設けた筆入付クリップ。
【請求項２】
クリップの前方板が後方板と形状及び面積が異なり、略額風でその裏側に略管状を形成する筆入部を設けた筆入付クリップ。
【請求項３】
前方板、又は、後方板の何れか一方のツマミ部下方を長くして、そこに、着磁板を設けたクリップ。
【請求項４】
基盤の裏側に略管状の筆入部を設け、その基盤の取付部にクリップを設けた筆入付クリップ。
【請求項５】
略盆状の基盤の内側に磁石と筆入部を設けた筆入付磁石クリップ。
【請求項６】
略盆状の基盤の内側に磁石を設け、その磁石の着磁面より筆入部の表面が一段低い状態に設けた筆入付磁石クリップ。
【請求項７】
請求項１、請求項２記載の前方板の表面及び、請求項４、又は、請求項５、請求項６記載の基盤の表面に干支の動物の絵をほどこした筆入付クリップ及び筆入付磁石クリップ。
【発明の詳細な説明】
【技術分野】
【０００１】  本発明は、メモ欄のある月めくりカレンダーなどに便利な筆入付クリップ及び冷蔵庫の扉などに着磁して用いる筆入付磁石クリップに関する。
【背景技術】
【０００２】  従来、月めくりカレンダーには金具とじ式やタンザク綴式、又はスパイラル式或いは、ホットメルト式など製法は各種あってもほとんどの月めくりカレンダーにメモ欄を設けてある。又、冷蔵庫の扉などに磁石を用いてメモ用紙を止めて利用することも多い。然し乍ら、月めくりカレンダー用の筆入付クリップや筆入付磁石クリップなどはなかった。
【発明の開示】
【発明が解決しようとする課題】
【０００３】  月めくりカレンダーに於いては、折角ほとんどのカレンダーにメモ欄を設けてあるのに、そばに筆記具を置く所がない。又、冷蔵庫の扉などでメモ用紙を止める磁石はあっても筆記具を共に置く事が出来なく不便であった。【０００４】  本発明は、このような問題を解決しようとするものであり、メモ欄のある月めくりカレンダーを活用し易くすること、及び冷蔵庫の扉などを利用してのメモ書きなどをする際に一層便利なものにする事を目的とする。
【課題を解決するための手段】
【０００５】  カレンダー用に於いては、メモ欄のある月めくりカレンダーの下方に取付ける事が出来る略管状の筆入部を設けた筆入付クリップを作り、カレンダーに筆記具を常に備えて置けるようにする、又、メモ欄のない月めくりカレンダーの場合は筆入付クリップのツマミ部に着磁板を設け、そこに、磁石を用いてメモ用紙を止めるようにする。【０００６】  又は、基盤の裏側に管状の筆入部を設ける、その基盤の上方には取付部を設けて、そこに小型クリップを設けたものを作る。【０００７】  磁石クリップに於いては、略盆状の基盤の内側に磁石と略管状の筆入部を設けて筆記具の保持とメモ用紙のクリップを共に出来るようにする。【０００８】  或いは、略盆状の基盤の内側に磁石と略管状の筆入部を設けるクリップに於いて、筆入部の側面が磁石の着磁面より、例えば、数ミリ程度低くなるようにして作る。
【発明の効果】
【０００９】  本発明の筆入付クリップに於いては、何れの製法による月めくりカレンダーにも適用出来るもので、筆記具を備える事によりカレンダーが一層便利に活用出来る。更に、メモ欄のない月めくりカレンダーの場合でもツマミ部に設けた着磁板に磁石を用いてメモ用紙を止めることが出来る。【００１０】  又、基盤の裏側に管状の筆入部を設け、その基盤の取付部に小型クリップを設けたものはシンプルで安価に提供することが出来る。【００１１】  次に、磁石クリップに於いては、略盆状の内側に磁石と略管状の筆入部を設けたものは、磁石部でメモ用紙をクリップし筆入部が略管状のため出し入れが容易で使い易く共に保持することが出来る。【００１２】  そして、着磁面と筆入部に段差を設けたものは、冷蔵庫などに着磁すると隙間が出来るのでそこにメモ用紙を基盤に手を触れることなく容易に出し入れ出来る、又、用紙台部を設けると更に用紙が安定である。
【発明の実施するための最良の形態】
【００１３】  以下、本発明の実施の形態を図１〜図１２に基づいて説明する。
【００１４】  図１、図２、図３に於いて、クリップ１の支点２の上方で前方板５の裏側に管状の筆入部４を設ける、その前方板５の左右に筆入部４の位置を示す目印６を左右に設けて置く、それを、月めくりカレンダー７の下方に取付けて筆記具８を備える。
【００１５】  尚、筆入部は後方板、或いは、前方板の内面を以て略管状を形成するようにしてもよい（下記文献１の図２、図３参照）。
【非特許文献１】「特願２００４−２０１２０２」  出願人  佐藤隆雄。
【００１６】  図４、図５に於いて、クリップ１１の支点１２の下方で前方板１３の裏側に管状の筆入部１４を横向きに設ける、そして、後方板１５のツマミ部１６を前方板１３の下方より長くして着磁板１７を設ける、又、前方板１３の左右には目印１８を設ける。
【００１７】  図６、図７に於いて、基盤２１の上方取付部２２に小型クリップ２３を設ける又、基盤２１の左右には目印２４を設ける、そして、その基盤２１の裏側には管状の筆入部２５を設ける。
【００１８】  図８、図９、図１０に於いて、略盆状の基盤３１の内側に管状の筆入部３２を設け、その下方に磁石３３を設ける。尚、筆入部３２は図１０の如く横向きに設けることもある。
【００１９】  図１１、図１２に於いて、略盆状の基盤４１の内側下方に磁石４２を設け、その上方に磁石４２の着磁面４３より筆入部４４の表面が、例えば、数ミリ程度低めに設ける、又、磁石４２の上方部には用紙台４７を設ける。
尚、略盆状の基盤部と筆入部が一体化とは限らない。
【００２０】  以下、上記の構成の作用を説明する。
図１〜図５に於いては、図１が代表して示す如く月めくりカレンダー７の下部にクリップ１を取付け、筆入部４に筆記具８を横から差し入れて保持する。
【００２１】  又、図６、図７では、月めくりカレンダーの下部に小型クリップ２３を図１の場合のように取付けて筆入部２５に筆記具を差し入れて保持する。
【００２２】  図８、図９、図１０に於いては、例えば、本品を冷蔵庫の扉の外側に着磁する、そして、磁石３３部にメモ用紙を挟み、筆入部３２に筆記具を差入れて共に保持する。
【００２３】  図１１、図１２に於いては、略盆状の基盤４１の内側に設けた磁石４２の着磁面４３部を、例えば、冷蔵庫の扉４５の面に着磁させると隙間４６が出来る、そこに、メモ用紙を差入れ、筆入部４４には筆記具を差入れて共に保存する。
従って、メモ用紙は基盤４１に手を触れることなく出し入れ出来る。
【００２４】  尚、上記に於いて、前方板、又は、基盤の表面には、例えば十二支の動物の絵や他の絵をほどこしたシールや印刷ものなどをして用いる。
【００２５】  そして、形状は円形とは限らず、四角や半円など、又、図１〜図７に於いては筆入部が横向き、縦向きとは限らず、斜向きなど任意である。但し、筆入部を縦向き、斜向きなどに設ける場合は底部が必要である。
【図面の簡単な説明】
【００２６】
【図１】円形の前方板５の裏側に筆入部を横向きに設けた場合のクリップ１を、月めくりカレンダー７の下部に取付けて筆記具８を備えた状態を示す正面図
【図２】図１のクリップ１部だけを示す側面図
【図３】図２の後方板３に磁石を設けたところの背面図
【図４】円形の前方板１３と着磁板１７を表すクリップ１１の表面図
【図５】図４の側面図
【図６】基盤２１に取付部２２を設けたところの正面図
【図７】図６の裏側に小型クリップ２３と筆入部２５を横向きに設けた場合の側面図
【図８】筆入部を縦型に設けた筆入付磁石クリップの正面図
【図９】図８のＡ−Ｂ断面図
【図１０】管状の筆入部３２を横向きに設けた場合を示す断面図
【図１１】略盆状の基盤４１の内側に磁石と筆入部４４及び用紙台４７を設けた場合の磁石クリップの正面図
【図１２】磁石４２の着磁面４３と筆入部４４に段差を設けた状態を示す図１１のＣ−Ｄ断面図
【符号の説明】
【００２７】  １  クリップ              １１  クリップ      ２１  基盤
２  支点                  １２  支点          ２２  取付部
３  後方板                １３  前方板        ２３  小型クリップ
４  筆入部                １４  筆入部        ２４  目印
５  前方板                １５  後方板        ２５  筆入部
６  目印                  １６  ツマミ部
７  月めくりカレンダー    １７  着磁板
８  筆記具
９  磁石                  ４１  基盤          ４７  用紙台
４２  磁石
３１  基盤                  ４３  着磁面
３２  筆入部                ４４  筆入部
３３  磁石                  ４５  扉
４６  隙間
【図１】
2006175843.tif 000003
【図２】
2006175843.tif 000004
【図３】
2006175843.tif 000005
【図４】
2006175843.tif 000006
【図５】
2006175843.tif 000007
【図６】
2006175843.tif 000008
【図７】
2006175843.tif 000009
【図８】
2006175843.tif 000010
【図９】
2006175843.tif 000011
【図１０】
2006175843.tif 000012
【図１１】
2006175843.tif 000013
【図１２】
2006175843.tif 000014